(57)【要約】【課題】マーケットを活性化できる電子売買システム及び電子売買プログラムを提供する。【解決手段】本発明の電子売買システム１００は、販売者Ｖが設定した基準価格ｖ０に基づいて変動する変動販売価格ｖｖが提示された商品リストＬの中から、購入者Ｂによって購入する商品ｉを選択させる取引を成立させた後、販売者Ｖに係る取引の評価Ｅを購入者Ｂに促すための評価画面１３３を表示する購入者端末１と、購入者Ｂから収集した評価Ｅに応じた評価手数料ｖｅを、基準価格ｖ０に上乗せして、変動販売価格ｖｖを更新する管理サーバ２と、を備える。【選択図】図２
2019133575.tif 000002
【特許請求の範囲】
【請求項１】
電子売買システムであって、
販売者が設定した基準価格に基づいて変動する変動販売価格が提示された商品リストの中から、購入者によって購入する商品を選択させる取引を成立させた後、
前記取引の評価を前記購入者に促すための評価画面を表示する購入者端末と、
前記購入者端末から収集した前記評価に応じた評価手数料を、前記基準価格に上乗せして、前記変動販売価格を更新する管理サーバと、を備える
ことを特徴とする電子売買システム。
【請求項２】
前記評価手数料は、収集した前記評価の大きさに応じたポイントを積算した積算ポイントに応じたものである
ことを特徴とする請求項１に記載の電子売買システム。
【請求項３】
前記販売者によって指定された前記購入者を常連購入者として登録し、
前記常連購入者に前記評価手数料が除かれた前記変動販売価格を提示する
ことを特徴とする請求項１又は請求項２に記載の電子売買システム。
【請求項４】
コンピュータに、
販売者が設定した基準価格に基づいて変動する変動販売価格が提示された商品リストの中から、購入者によって購入する商品を選択させる取引を成立させる機能、
前記取引を成立させた後、前記取引の評価を前記購入者に促すための評価画面を購入者端末に表示させる機能、
収集した前記評価に応じた評価手数料を、前記基準価格に上乗せして、前記変動販売価格を管理サーバに更新させる機能、
を実現させるための電子売買プログラム。
【発明の詳細な説明】
【技術分野】
【０００１】
本発明は電子売買システム及び電子売買プログラムに関するものである。
【背景技術】
【０００２】
従来、インターネット上のサイトにおいて、販売者と購入者とが商品を取引するフリーマーケットを実現させるための電子売買システムがある（特許文献１参照）。
【先行技術文献】
【特許文献】
【０００３】
【特許文献１】特開２００１−２５６３７０号公報
【発明の概要】
【発明が解決しようとする課題】
【０００４】
しかしながら、従来の電子売買システムでは、販売者と購入者との商品に関する取引が一旦行われても、その取引の際における販売者による対応（リードタイム、梱包、コミュニケーション等）の良し悪し又は商品自体の品質の良し悪し等、その取引に関する評価は、その取引の当事者である購入者だけしか得られなかった。
したがって、その取引の当事者以外の購入者にとっては販売者を選択し難く、販売者にとっては対応力向上や商品の品質向上のためのインセンティブが欠けることになり、次の取引に繋がらず、マーケットが活性化されないという問題があった。
【０００５】
本発明は、このような事情に鑑みてなされたものであり、マーケットを活性化できる電子売買システム及び電子売買プログラムを提供することを目的とする。
【課題を解決するための手段】
【０００６】
本発明は、上記目的を達成するために以下の構成によって把握される。
（１）本発明の電子売買システムは、販売者が設定した基準価格に基づいて変動する変動販売価格が提示された商品リストの中から、購入者によって購入する商品を選択させる取引を成立させた後、前記取引の評価を前記購入者に促すための評価画面を表示する購入者端末と、前記購入者端末から収集した前記評価に応じた評価手数料を、前記基準価格に上乗せして、前記変動販売価格を更新する管理サーバと、を備える。
（２）上記（１）の構成において、前記評価手数料は、収集した前記評価の大きさに応じたポイントを積算した積算ポイントに応じたものである。
（３）上記（１）又は（２）の構成において、前記販売者によって指定された前記購入者を常連購入者として登録し、前記常連購入者に前記評価手数料が除かれた前記変動販売価格を提示する。
（４）本発明の電子売買プログラムは、コンピュータに、販売者が設定した基準価格に基づいて変動する変動販売価格が提示された商品リストの中から、購入者によって購入する商品を選択させる取引を成立させる機能、前記取引を成立させた後、前記取引の評価を前記購入者に促すための評価画面を購入者端末に表示させる機能、収集した前記評価に応じた評価手数料を、前記基準価格に上乗せして、前記変動販売価格を管理サーバに更新させる機能、を実現させる。
【発明の効果】
【０００７】
本発明によれば、マーケットを活性化できる電子売買システム及び電子売買プログラムを提供できる。
【図面の簡単な説明】
【０００８】
【図１】電子売買システムの構成を示すブロック図である。
【図２】電子売買システムの動作を示すシーケンス図である。
【図３】購入者端末の表示部に表示される商品選択画面である。
【図４】購入者端末の表示部に表示される取引確認画面である。
【図５】購入者端末の表示部に表示される評価画面である。
【発明を実施するための形態】
【０００９】
（実施形態）
以下、添付図面を参照して、本発明を実施するための形態（以下、「実施形態」と称する。）について詳細に説明する。実施形態の説明の全体を通して同じ要素には同じ番号又は符号を付している。
【００１０】
図１は、電子売買システム１００の動作を示すブロック図である。図２は、電子売買システム１００の動作を示すシーケンス図である。図３は、購入者端末１の購入者表示部１３に表示される商品選択画面１３１である。図４は、購入者端末１の購入者表示部１３に表示される取引確認画面１３２である。図５は、購入者端末１の購入者表示部１３に表示される評価画面１３３である。
【００１１】
電子売買システム１００は、具体的には、図１に示すように、購入者端末１、管理サーバ２及び販売者端末３を備える。
購入者端末１と管理サーバ２と販売者端末３とは、インターネット等の回線４を介して相互に接続されている。なお、購入者端末１、管理サーバ２及び販売者端末３は、それぞれ、以下の説明にある各機能をコンピュータに実現させるための電子売買プログラム２００が導入された制御部を備える。
【００１２】
購入者端末１は、スマートフォン、タブレット及びラップトップ等であり、購入者入力部１１、購入者通信部１２及び購入者表示部１３を備える。
【００１３】
購入者入力部１１は、タッチパネル、キーボード及びマウス等である。
【００１４】
購入者通信部１２は、インターネット等の回線４に接続可能な有線又は無線通信機器を有する。
【００１５】
購入者表示部１３は、有機ＥＬディスプレイ又は液晶ディスプレイ等である。なお、購入者入力部１１及び購入者表示部１３は個別であってよく、購入者入力部１１及び購入者表示部１３が統合されたタッチインタフェースであってもよい。
【００１６】
購入者表示部１３は、図３に示すように、商品リストＬに基づく複数の商品ｉの画像が配列された商品選択画面１３１を表示する。商品選択画面１３１における商品ｉの画像には、それぞれ、変動販売価格ｖｖが付されている。
【００１７】
また、購入者表示部１３は、商品リストＬの中から一つの商品ｉを選択して購入者Ｂがマウスや指等でクリックする操作に応じて、図４に示すように、商品ｉに関する情報（商品ｉの名称、商品ｉの画像等）、販売者Ｖに関する情報（販売者Ｖの名称、販売者Ｖの画像等）、変動販売価格ｖｖ及び取引ボタンｆｄが示された取引確認画面１３２を表示する。取引確認画面１３２には、適宜、基準価格ｖ０、評価手数料ｖｅ、基準価格ｖ０に対する評価手数料ｖｅの割合、仲介手数料（不図示）及び配送料（不図示）等が表示される。
【００１８】
また、購入者表示部１３は、購入者Ｂが取引確認画面１３２に対して操作（例えば、取引ボタンｆｄを押す操作）することで、取引完了画面（不図示）を表示する。
そして、購入者端末１は、購入者Ｂが決済画面（不図示）に対して操作をすると、金融機関サーバ（不図示）と通信して決済処理を行う。
【００１９】
また、購入者表示部１３は、図５に示すように、一つの取引が終わると、管理サーバ２からの評価要求に従い、購入者Ｂが行った商品ｉ又は販売者Ｖに関する取引における評価Ｅを入力するための評価画面１３３を表示する。
具体的には、評価画面１３３は、商品ｉに関する情報及び販売者Ｖに関する情報とともに、販売者Ｖによる段階的な評価Ｅを可能にするための評価ボタンｆｖを表示する。
評価画面１３３には、例えば、評価Ｅが低い方から順に、「うーん」が表示される第１評価ボタンｆ１、「普通」が表示される第２評価ボタンｆ２、「美味しい」が表示される第３評価ボタンｆ３及び「感動！」が表示される第４評価ボタンｆ４を有する評価ボタンｆｖが、それぞれ表示される。
購入者端末１は、購入者Ｂによる評価ボタンｆｖへの入力に従い、評価Ｅを管理サーバ２に送信する。
【００２０】
管理サーバ２は、商品リスト編集部２１と、管理サーバ通信部２２と、記憶部２３と、を備える。
【００２１】
商品リスト編集部２１は、販売者Ｖに関する情報と商品ｉに関する情報と変動販売価格ｖｖとを関連付けた複数の情報に基づいて、商品リストＬを編集する。
【００２２】
販売者Ｖに関する情報は、販売者Ｖの名称、地域、コメント、画像等に紐づけられている。商品ｉに関する情報は、商品ｉの名称、地域、コメント、画像等に紐づけられている。よって、購入者Ｂは、販売者Ｖ又は商品ｉのいずれかを選択することで、選択した販売者Ｖがどのような商品ｉを提供するのか、あるいは、選択した商品ｉがどのような販売者Ｖによって提供されるのかを、購入者端末１を介して管理サーバ２に記憶された情報を参照することで検索できる。
【００２３】
商品リスト編集部２１は、販売者Ｖによって提供された商品ｉに関する情報及び販売者Ｖに関する情報が記憶部２３に新たに追加されると、随時、商品リストＬを更新する。
また、商品リスト編集部２１は、変動販売価格ｖｖが更新されると、商品リストＬを更新する。
【００２４】
管理サーバ通信部２２は、購入者端末１及び販売者端末３との間で情報の送受信を行う。管理サーバ通信部２２は、インターネット等の回線４に接続可能な有線又は無線通信機器を有する。
【００２５】
記憶部２３は、商品リスト編集部２１で編集され、更新された最新の商品リストＬを記憶する。
【００２６】
管理サーバ２は、購入者端末１から送信された（購入者Ｂから収集した）評価Ｅに応じて、評価Ｅに応じた評価手数料ｖｅを、基準価格ｖ０に上乗せして、変動販売価格ｖｖを更新する。
【００２７】
販売者端末３は、スマートフォン、タブレット及びラップトップ等であり、販売者入力部３１、販売者通信部３２及び販売者表示部３３を備える。
【００２８】
販売者入力部３１は、タッチパネル、キーボード及びマウス等である。
【００２９】
販売者通信部３２は、インターネット等の回線４に接続可能な有線又は無線通信機器を有する。
【００３０】
販売者表示部３３は、有機ＥＬディスプレイ又は液晶ディスプレイ等である。なお、販売者入力部３１及び販売者表示部３３は個別であってよく、販売者入力部３１及び販売者表示部３３が統合されたタッチインタフェースであってもよい。
【００３１】
販売者表示部３３は、販売者Ｖが販売したい商品ｉに関する情報、販売者Ｖに関する情報及び基準価格ｖ０の入力を支援するための入力フォーマットを表示する。
【００３２】
（電子売買システム１００の動作）
以下、電子売買システム１００の動作について、図２を参照しながら、例を挙げて時系列に沿って説明する。
図２は、電子売買システム１００の動作を示すシーケンス図である。
概要、電子売買システム１００は、販売者Ｖによって商品ｉを出品させ、購入者Ｂによって販売者Ｖが出品した商品ｉの商品リストＬの中から購入する商品ｉを選択させることにより取引を成立させる。
そして、取引が成立した後、通常、販売者Ｖは、商品ｉを購入者Ｂに発送する。一方、購入者Ｂは、商品ｉの料金（価格）に応じた購入代金を、直接又は金融機関等を介して間接的に販売者Ｖに支払う。
購入者Ｂは販売者Ｖから発送された商品ｉを受領した後、商品ｉを使用（消費）する。例えば、商品ｉが農作物である「トマト」である場合、購入者Ｂは、その「トマト」を食べたり、調理したりすることで消費する。
【００３３】
ここで、電子売買システム１００は、販売者Ｖが設定した基準価格ｖ０に基づいて変動する変動販売価格ｖｖが提示された商品リストＬの中から、購入者Ｂによって購入する商品ｉを選択させる取引を成立させた後、取引ごとに、商品ｉ又は販売者Ｖに係る取引の評価Ｅを購入者Ｂに促すための評価画面１３３を表示する購入者端末１と、購入者端末１から収集した評価Ｅに応じた評価手数料ｖｅを、基準価格ｖ０に上乗せして、変動販売価格ｖｖを更新する管理サーバ２と、を備える。
そして、電子売買システム１００は、更新された変動販売価格ｖｖを伴う商品リストＬを購入者端末１の購入者表示部１３に表示する。
更新された変動販売価格ｖｖを伴う商品リストＬから、購入者Ｂに、購入する商品ｉを選択させることにより、新たな取引が成立する。以降、新たな取引ごとに、このようなルーティンが繰り返される。よって、取引成立の回数が多い販売者Ｖが提供する商品ｉの評価手数料ｖｅは徐々に高まっていき、それに応じて、変動販売価格ｖｖも徐々に高まっていく。
【００３４】
詳細には、まず、販売者Ｖは、販売者端末３に表示された所定の入力フォーマットを利用して、販売したい商品ｉに関する情報（例えば、商品：トマト、トマトの画像）、販売者Ｖに関する情報（例えば、△△△△農園、△△△△農園の画像）及び基準価格ｖ０を入力する。
【００３５】
管理サーバ２は、未だ取引されていない商品ｉ又は販売者Ｖに関する評価手数料ｖｅ（美味！手数料）の初期値を、通常、ゼロとして、記憶部２３に記憶しておく。
【００３６】
管理サーバ２は、販売者Ｖから提供された（販売者端末３から送信された）商品ｉに関する情報及び販売者Ｖに関する情報とともに、販売者Ｖが設定した「１，０００円」という基準価格ｖ０を記憶部２３に記憶する。
同様に、別の販売者Ｖから提供された商品ｉに関する情報及び販売者Ｖに関する情報とともに、販売者Ｖが設定した基準価格ｖ０を記憶部２３に、逐次、記憶する。
【００３７】
管理サーバ２は、評価手数料ｖｅの初期値がゼロであるので、「１，０００円」という基準価格ｖ０に「０円」という評価手数料ｖｅを加えて、「１，０００円」という変動販売価格ｖｖを算出する。なお、この際、基準価格ｖ０から、電子売買システム１００の提供者の収入となる仲介手数料（例えば、基準価格ｖ０の１０％）を減算してよい。
同様に、別の販売者Ｖが設定した基準価格ｖ０に評価手数料ｖｅを加えた変動販売価格ｖｖを算出する。
管理サーバ２は、購入者端末１に、販売者Ｖに関する情報と商品ｉに関する情報と変動販売価格ｖｖとを関連付けた複数の情報に基づく商品リストＬを送信する。
【００３８】
購入者端末１の購入者表示部１３は、管理サーバ２から受信した商品リストＬに基づき、図３に示すように、商品ｉの画像の中に変動販売価格ｖｖが埋め込まれた縮小画像が複数並べられて配置された商品選択画面１３１を表示する。
そして、購入者表示部１３は、販売者Ｖが設定した基準価格ｖ０に基づいて変動する変動販売価格ｖｖが提示された複数の商品ｉが並んだ商品リストＬの中から、購入者Ｂが所望の商品ｉを選択できるようにするための商品選択画面１３１を表示する。例えば、購入者Ｂが商品選択画面１３１をマウスや指等でクリックする操作等によって購入する商品ｉを選択（入力）する。
【００３９】
購入者Ｂによって購入する商品ｉが選択されると、購入者表示部１３は、図４に示すように、商品ｉに関する取引確認画面１３２を表示する。
購入者表示部１３は、商品ｉに関する情報、販売者Ｖに関する情報、基準価格ｖ０、評価手数料ｖｅ、変動販売価格ｖｖ及び取引ボタンｆｄを、適宜、取引確認画面１３２に表示する。
【００４０】
続いて、購入者表示部１３は、購入者Ｂによって取引確認画面１３２の取引ボタンｆｄを押されることで、取引完了画面（不図示）を表示する。
【００４１】
また、取引ボタンｆｄが押されると、購入者端末１は、商品ｉが選択されたという情報を管理サーバ２に送信する。
管理サーバ２は、購入者端末１に対して支払い案内を送信し、販売者端末３に対して配達案内を送信する。
【００４２】
（美味手数料サービス）
ここで、購入者端末１から商品ｉが選択されたという情報を受信した管理サーバ２は、一つの取引が完了したとみなし、購入者端末１に対して評価要求を送信する。
【００４３】
管理サーバ２からの評価要求に従い、購入者端末１は、購入者表示部１３によって、図５に示すように、購入者Ｂが行った商品ｉ又は販売者Ｖに関する取引に係る評価Ｅを入力するための評価画面１３３を表示する。
具体的には、購入者表示部１３は、商品ｉに関する情報及び販売者Ｖに関する情報とともに、販売者Ｖによる段階的な評価Ｅを可能にするための評価ボタンｆｖを評価画面１３３に表示する。
【００４４】
評価画面１３３には、例えば、評価Ｅが低い方から順に、「うーん」が表示される第１評価ボタンｆ１、「普通」が表示される第２評価ボタンｆ２、「美味しい」が表示される第３評価ボタンｆ３及び「感動！」が表示される第４評価ボタンｆ４を有する評価ボタンｆｖが表示される。
【００４５】
購入者端末１は、購入者Ｂによる評価ボタンｆｖへの入力に従い、評価Ｅを管理サーバ２に送信する。すなわち、購入者端末１は、第１評価ボタンｆ１、第２評価ボタンｆ２、第３評価ボタンｆ３及び第４評価ボタンｆ４のいずれが押されたかを識別する信号を、管理サーバ２に送信する。
【００４６】
このように、購入者Ｂによる商品ｉの選択によって取引が成立した後、取引ごとに、電子売買システム１００は、評価Ｅを入力できるようにするための評価画面１３３を購入者Ｂの購入者端末１に表示し、取引の評価Ｅを購入者Ｂに促す。言い換えると、購入者端末１は、評価Ｅを入力できるようにするための評価画面１３３を表示することで、取引の評価Ｅを購入者Ｂに促す。
【００４７】
以下、取引の評価Ｅについて更に詳細に説明する。
購入者Ｂは、上述のように、購入者端末１を利用して評価Ｅを入力する。
ここで、評価Ｅは、例えば、４段階評価であり、評価Ｅの大小関係は、「感動！」＞「美味しい」＞「普通」＞「うーん」で示されるものである。なお、評価Ｅは、４段階評価に限らず、例えば、３段階評価又は５段階評価であってよく、０から１００までの整数値で表される１００段階のものとしてもよい。なお、数値を直接入力できるようにしたり、スライドバーで入力できるようにしたりしてもよい。
このようにして購入者端末１に入力された評価Ｅは、購入者端末１から管理サーバ２に送信される。
そして、管理サーバ２は、例えば、購入者Ｂが、「感動！」の評価Ｅをした場合、「１」のポイントｐを記憶部２３において記憶し、購入者Ｂが「美味しい」の評価Ｅをした場合、「０．５」のポイントｐを、商品ｉ及び販売者Ｖに紐づけて、記憶部２３において記憶する。なお、評価Ｅに対応するポイントｐの大きさは、「１」や「０．５」に限るものではない。また、評価Ｅに対応するポイントｐの大きさは、あらかじめ固定的に設定されていてよいが、購入者Ｂが評価Ｅをした時期や時間帯等によって変動してもよい。
【００４８】
管理サーバ２は、複数の購入者Ｂが有する購入者端末１から、取引ごとに、上述のように評価Ｅを収集する。
管理サーバ２は、収集した評価Ｅに応じた評価手数料ｖｅを、基準価格ｖ０に上乗せして、販売者Ｖに係る変動販売価格ｖｖを更新する。この際、評価手数料ｖｅは、購入者Ｂから収集した評価Ｅの大きさに応じたポイントｐを積算した積算ポイントΣｐに応じたものとしてよい。
例えば、収集した評価Ｅが、「感動！」であれば、評価Ｅの大きさに応じたポイントｐである１ポイントを直前に記憶された積算ポイントΣｐ（初期値は０とする。）に加算し、積算ポイントΣｐを更新する。
【００４９】
そして、例えば、複数の購入者Ｂから複数の評価Ｅが収集された結果、更新された積算ポイントΣｐが、０以上５０未満の範囲である場合、評価手数料ｖｅを基準価格ｖ０の１％とし、同様に、５０以上１００未満の範囲である場合、評価手数料ｖｅを基準価格ｖ０の２％、順次、積算ポイントΣｐが大きくなるに連れて、基準価格ｖ０に対する評価手数料ｖｅの割合を高める。例えば、更新された積算ポイントΣｐが、５００以上１０００未満の範囲である場合、評価手数料ｖｅを基準価格ｖ０の１０％とする。なお、積算ポイントΣｐに応じた評価手数料ｖｅの割合は、適宜設定できる。
【００５０】
また、例えば、更新された積算ポイントΣｐが、５００である場合、管理サーバ２は、評価手数料ｖｅを基準価格ｖ０（１，０００円）の１０％である１００円とし、その１００円を、基準価格ｖ０である１，０００円に上乗せして、変動販売価格ｖｖを更新して１，１００円とする。なお、販売者Ｖにインセンティブを与えるため、上乗せされた評価手数料ｖｅの一部又は全部は、適宜、販売者Ｖの収入となるようにしてよい。
【００５１】
次に取引をする際、購入者端末１は、管理サーバ２から更新された変動販売価格ｖｖ（１，１００円）を含む更新された商品リストＬを取得し、更新された変動販売価格ｖｖ（１，１００円）を、商品選択画面１３１及び取引確認画面１３２において表示する。なお、更新された評価手数料ｖｅ（１００円）を表示してもよい。
【００５２】
そして、購入者Ｂが更新された変動販売価格ｖｖ（１，１００円）に紐づけられた商品ｉ又は商品ｉを取り扱う販売者Ｖを選択し（図３参照）、取引ボタンｆｄ（図４参照）を押すと、取引が成立する。
ここで取引が成立すると、電子売買システム１００は、再び、評価Ｅを入力できるようにするための評価画面１３３を購入者Ｂの購入者端末１に表示し（図５参照）、販売者Ｖに係る取引の評価Ｅを購入者Ｂに促す。
このように、電子売買システム１００は、購入者Ｂによる販売者Ｖに係る評価Ｅを収集し、収集した評価Ｅに応じて変動販売価格ｖｖを更新するという一連の処理を、取引ごとに繰り返す。
【００５３】
したがって、次に販売者Ｖと商品ｉについて取引を行おうとする購入者Ｂは、特定の販売者Ｖと取引をしたことがあるかどうかに依らず、評価Ｅに応じた評価手数料ｖｅ（１００円）が基準価格ｖ０（１，０００円）に上乗せされた変動販売価格ｖｖ（１，１００円）で購入する必要があることがわかるとともに、特定の販売者Ｖ又は商品ｉについて評価手数料ｖｅに応じた高い評価Ｅがなされていることを把握できる。
よって、商品ｉを取り扱う販売者Ｖとの取引経験がない購入者Ｂであっても、取引の経験のある購入者Ｂによる評価Ｅ（又は評価Ｅが蓄積された評価手数料ｖｅ）を共有できることから、販売者Ｖを選択し易くなる。また、販売者Ｖにとっては、取引を繰り返して信用を積み重ねることで、評価Ｅに応じた評価手数料ｖｅが上がるため、直接的な収入が増えるとともに、対応力向上や商品ｉの品質向上のためのインセンティブとなる。よって、取引が成立する機会が増え、マーケットが活性化される。
【００５４】
（常連制度）
さらに、電子売買システム１００は、販売者Ｖによって指定された購入者Ｂを常連購入者Ｂｉｐとして登録し、常連購入者Ｂｉｐに評価手数料ｖｅが除かれた変動販売価格ｖｖ、すなわち、基準価格ｖ０をそのまま提示してもよい。
【００５５】
具体的には、購入者端末１を介して、販売者Ｖによって常連として選択された購入者Ｂを、管理サーバ２の記憶部２３において、常連購入者Ｂｉｐとして記憶する。
そして、管理サーバ２は、常連購入者Ｂｉｐに対して、記憶部２３に記憶された販売者Ｖに関する評価手数料ｖｅに関わらず、評価手数料ｖｅをゼロとした変動販売価格ｖｖ、すなわち、基準価格ｖ０をそのまま、購入者端末１に表示するための商品リストＬを送信する。
【００５６】
これにより、高い評価Ｅが蓄積されて販売者Ｖに係る評価手数料ｖｅが高くなっても、特定の販売者Ｖに係る変動販売価格ｖｖは変わらないようにできるので、常連購入者Ｂｉｐは評価Ｅの高い販売者Ｖから、評価手数料ｖｅ（１００円）に依らず、基準価格ｖ０（１，０００円）に抑えられた変動販売価格ｖｖ（１，０００円）で購入できる。よって、常連購入者Ｂｉｐによる継続購入を促せるとともに、常連購入者Ｂｉｐによる販売者Ｖ又は販売者Ｖが取り扱う商品ｉに対するロイヤルティが高まり、販売者Ｖ又は販売者Ｖが取り扱う商品ｉのブランド力を向上できる。
【００５７】
以上、具体的な実施形態を基に本発明の説明を行ってきたが、本発明は、上記実施形態に限定されるものではない。
【００５８】
本発明の電子売買システム１００によれば、販売者Ｖが設定した基準価格ｖ０に基づいて変動する変動販売価格ｖｖが提示された商品リストＬの中から、購入者Ｂによって購入する商品ｉを選択させる取引を成立させた後、商品ｉ又は販売者Ｖに係る取引の評価Ｅを購入者Ｂに促す購入者端末１と、購入者端末１から収集した評価Ｅに応じた評価手数料ｖｅを、基準価格ｖ０に上乗せして、変動販売価格ｖｖを更新する管理サーバ２と、を備える。よって、商品ｉを取り扱う販売者Ｖとの取引経験がない購入者Ｂであっても、販売者Ｖの評価Ｅが蓄積された評価手数料ｖｅを共有できることから、販売者Ｖを選択し易くなる。また、販売者Ｖにとっては、取引を繰り返して信用を積み重ねることで、評価Ｅに応じた評価手数料ｖｅが高まるため、直接的な収入が増えるとともに、対応力や商品ｉのブランド力が向上し、商品ｉの品質向上のためのインセンティブとなる。よって、取引が成立する機会が増え、マーケットが活性化される。
【００５９】
本発明の電子売買プログラム２００によれば、コンピュータに、販売者Ｖが設定した基準価格ｖ０に基づいて変動する変動販売価格ｖｖが提示された商品リストＬの中から、購入者Ｂによって購入する商品ｉを選択させる取引を成立させる機能、取引を成立させた後、取引の評価Ｅを購入者Ｂに促すための評価画面１３３を購入者端末１に表示させる機能、収集した評価Ｅに応じた評価手数料ｖｅを、基準価格ｖ０に上乗せして、変動販売価格ｖｖを管理サーバ２に更新させる機能、を実現させられる。よって、商品ｉを取り扱う販売者Ｖとの取引経験がない購入者Ｂであっても、商品ｉ又は販売者Ｖの評価Ｅが蓄積された評価手数料ｖｅを共有できることから、販売者Ｖが選択し易くなる。また、販売者Ｖにとっては、取引を繰り返して信用を積み重ねることで、評価Ｅに応じた評価手数料ｖｅが上がるため、直接的な収入が増えるとともに、対応力や商品ｉのブランド力が向上し、商品ｉの品質向上のためのインセンティブとなる。よって、取引が成立する機会が増え、マーケットが活性化される。
【符号の説明】
【００６０】
１００    電子売買システム
１        購入者端末
２        管理サーバ
３        販売者端末
４        回線
１１      購入者入力部
１２      購入者通信部
１３      購入者表示部
２１      商品リスト編集部
２２      管理サーバ通信部
２３      記憶部
３１      販売者入力部
３２      販売者通信部
３３      販売者表示部
１３１    商品選択画面
１３２    取引確認画面
１３３    評価画面
２００    電子売買プログラム
Ｂ        購入者
Ｂｉｐ    常連購入者
ｆ１      第１評価ボタン
ｆ２      第２評価ボタン
ｆ３      第３評価ボタン
ｆ４      第４評価ボタン
ｆｄ      取引ボタン
ｆｖ      評価ボタン
ｉ        商品
Ｌ        商品リスト
Ｖ        販売者
ｖ０      基準価格
ｖｅ      評価手数料
ｖｖ      変動販売価格
ｐ        ポイント
Σｐ      積算ポイント
Ｅ        評価
【図１】
2019133575.tif 000003
【図２】
2019133575.tif 000004
【図３】
2019133575.tif 000005
【図４】
2019133575.tif 000006
【図５】
2019133575.tif 000007
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
電子売買システムであって、
商品のそれぞれについて、該商品に関する情報である商品情報と、該商品の販売者に関する情報である販売者情報と、該商品の販売者が設定した基準価格に基づいて変動する変動販売価格と、該商品の評価手数料を表す情報と、が関連付けられた商品リストに基づいて、該商品リストに含まれる商品の前記商品情報と、該商品の前記販売者情報と、該商品の前記変動販売価格と、該商品の前記評価手数料を表す情報とを購入者に提示し、前記商品リストの中から、前記購入者によって購入する商品を選択させる取引を成立させた後、前記取引の評価を前記購入者に促すための評価画面を表示する購入者端末と、
前記購入者端末から収集した前記評価に応じた前記評価手数料を、前記基準価格に上乗せして、前記変動販売価格を更新し、該更新された前記変動販売価格を含むように前記商品リストを更新する管理サーバと、を備える
ことを特徴とする電子売買システム。
【請求項２】
前記評価手数料は、収集した前記評価の大きさに応じたポイントを積算した積算ポイントに応じたものである
ことを特徴とする請求項１に記載の電子売買システム。
【請求項３】
前記管理サーバが、前記販売者によって指定された前記購入者を常連購入者として登録し、
前記購入者端末が、前記常連購入者に前記評価手数料が除かれた前記変動販売価格を提示する
ことを特徴とする請求項１又は請求項２に記載の電子売買システム。
【請求項４】
購入者端末であるコンピュータに、
商品のそれぞれについて、該商品に関する情報である商品情報と、該商品の販売者に関する情報である販売者情報と、該商品の販売者が設定した基準価格に基づいて変動する変動販売価格と、該商品の評価手数料を表す情報と、が関連付けられた商品リストに基づいて、該商品リストに含まれる商品の前記商品情報と、該商品の前記販売者情報と、該商品の前記変動販売価格と、該商品の前記評価手数料を表す情報とを購入者に提示し、前記商品リストの中から、前記購入者によって購入する商品を選択させる取引を成立させる機能、
前記取引を成立させた後、前記取引の評価を前記購入者に促すための評価画面を前記購入者端末に表示させる機能、
収集した前記評価に応じた前記評価手数料を、前記基準価格に上乗せして、前記変動販売価格を管理サーバに更新させ、前記更新された前記変動販売価格を含むように前記商品リストを前記管理サーバに更新させる機能、
を実現させるための電子売買プログラム。